(57)【要約】【課題】簡単な構成によって、屋外の気温以下に屋内を冷却できるとともに、屋根上の積雪を融かすことができる建物送風システム及び建物を提供する。【解決手段】  建物の最上階の天井２１に、屋内空間１２から小屋裏空間２６に向けて送風できる換気装置２３を備える建物送風システム２である。  そして、金属製の単層屋根２４と天井２１との間に、単層屋根２４に面して小屋裏空間２６が形成されるとともに、換気装置２３は、小屋裏空間２６から屋内空間１２に向けて送風できることを特徴とする。【選択図】図１
2008281284.tif 000002
【特許請求の範囲】
【請求項１】
建物の最上階の天井に、屋内空間から小屋裏空間に向けて送風できる換気装置を備える建物送風システムであって、
金属製の単層屋根と前記天井との間に、該単層屋根に面して前記小屋裏空間が形成されるとともに、
前記換気装置は、前記小屋裏空間から前記屋内空間に向けて送風できることを特徴とする建物送風システム。
【請求項２】
前記最上階の天井の前記小屋裏空間に向いた側には、断熱材が取り付けられることを特徴とする請求項１に記載の建物送風システム。
【請求項３】
前記屋内空間に複数の前記換気装置を備えることを特徴とする請求項１又は請求項２に記載の建物送風システム。
【請求項４】
前記建物には前記単層屋根の表面に散水する散水装置が取り付けられることを特徴とする請求項１乃至請求項３のいずれか一項に記載の建物送風システム。
【請求項５】
請求項１乃至請求項４のいずれか一項に記載の建物送風システムを備えるとともに、
屋外空間から前記屋内空間に給気するための給気ダクトと、前記屋内空間から前記屋外空間に排気するための排気ダクトと、を有する換気システムを備えることを特徴とする建物。
【発明の詳細な説明】
【技術分野】
【０００１】
本発明は、屋内空間を換気する建物の送風システム及びその建物送風システムを備えた建物に関するものである。
【背景技術】
【０００２】
従来、建物の天井に換気扇を設置して、屋内空間の上方に溜まった熱気を小屋裏空間に排出することが知られている。
【０００３】
例えば、特許文献１に示された天井用換気扇は、屋外に連通する排気配管に接続された排気口と、小屋裏空間に接続された排気口と、を備えることを特徴としている。
【０００４】
このように、天井用換気扇を構成することによって、通常時に時間をかけて排気する場合には排気配管を通じて屋外に排気するとともに、短時間で換気したい場合には小屋裏空間に排気することで、送風機の容量を増大させることなく、排気量を増加させることができる。
【特許文献１】特開２００７−３２８９２号公報
【発明の開示】
【発明が解決しようとする課題】
【０００５】
しかしながら、前記した特許文献１の構成では、屋内に給気する空気は窓などから取り入れた外気となるため、屋外の気温以下に屋内を冷却することはできなかった。
【０００６】
他方、寒冷な地域においては、屋根の雪下ろしをしなくて済むように、屋根の内部に電気ヒータや温水パイプを設置することで融雪していた。
【０００７】
そこで、本発明は、簡単な構成によって、屋外の気温以下に屋内を冷却できるとともに、屋根上の積雪を融かすことができる建物送風システム及び建物を提供することを目的としている。
【課題を解決するための手段】
【０００８】
前記目的を達成するために、本発明の建物送風システムは、建物の最上階の天井に、屋内空間から小屋裏空間に向けて送風できる換気装置を備える建物送風システムであって、金属製の単層屋根と前記天井との間に、該単層屋根に面して前記小屋裏空間が形成されるとともに、前記換気装置は、前記小屋裏空間から前記屋内空間に向けて送風できることを特徴とする。
【０００９】
また、前記天井の前記小屋裏空間に向いた側には、断熱材が取り付けられることが好ましい。
【００１０】
さらに、前記屋内空間に複数の前記換気装置を備えることができる。
【００１１】
そして、前記建物には前記単層屋根の表面に散水する散水装置を取り付けることもできる。
【００１２】
また、本発明の建物は、上記したいずれかの建物送風システムを備えるとともに、屋外空間から前記屋内空間に給気するための給気ダクトと、前記屋内空間から前記屋外空間に排気するための排気ダクトと、を有する換気システムを備えることを特徴とする。
【発明の効果】
【００１３】
このように、本発明の建物送風システムは、金属製の単層屋根と最上階の天井との間に、単層屋根に面して小屋裏空間が形成されるとともに、天井に設けた換気装置は小屋裏空間から屋内空間に向けて送風できる。
【００１４】
したがって、夜間において、放射冷却で外気温より冷たくなった単層屋根に面した小屋裏空間を通じて、外気を冷却しながら屋内空間に取り込むことができる。
【００１５】
また、天井の小屋裏空間に向いた面に断熱材を設けることで、日中の日差しによって熱くなった単層屋根から放射された熱によって、屋内空間が暖められることを防止できる。
【００１６】
さらに、屋内空間に複数の換気装置を備えることで、屋内空間と小屋裏空間とで空気を循環させることが可能となり、窓を閉めたまま屋内空間を冷却することができる。
【００１７】
そして、単層屋根に散水する散水装置を備えることで、日中でも外気温よりも冷えた小屋裏空間の空気によって屋内空間を冷却することができる。
【００１８】
また、上記した建物送風システムに加えて、給気ダクトと排気ダクトとを有する換気システムを備えることで、窓を閉めたまま屋内空間を冷却することができる。
【発明を実施するための最良の形態】
【００１９】
以下、本発明の最良の実施の形態について図面を参照して説明する。
【００２０】
まず、図１を用いて本発明のユニット建物Ｕの構成を説明する。
【００２１】
なお、本実施の形態では、建物としてのユニット建物Ｕが２階建ての場合を例として説明するが、これに限定されるものではなく、３階建て以上でもよいし、１階建てであってもよい。
【００２２】
本発明のユニット建物Ｕは、図１に示すように、床下空間１０と、１階の室内空間１１と、２階の室内空間１２と、吹き抜け空間１３と、単層屋根２４と天井２１とこれらに挟まれた小屋裏空間２６と換気装置２３とを有する建物送風システム２と、給気ダクト３５と排気ダクト３６とを有する換気システム３と、を備えている。
【００２３】
この１階の室内空間１１は、外壁１６と間仕切壁１７と２階の床１４と１階の床１５とによって囲まれた空間で、間仕切壁１７に設けた出入口１７ｂによって吹き抜け空間１３と繋がっている。
【００２４】
加えて、この１階の室内空間１１には、後述する給気ダクト３５に接続されたグリル３３が設けられている。
【００２５】
また、２階の室内空間１２は、外壁１６と間仕切壁１７と２階の床１４と天井２１とによって囲まれた空間で、間仕切壁１７に設けた出入口１７ａによって、吹き抜け空間１３と繋がっているとともに、外壁１６に設けた窓１８によって、屋外空間４と繋がっている。
【００２６】
さらに、この２階の室内空間１２には、後述する給気ダクト３５に接続されたグリル３２が設けられている。
【００２７】
また、吹き抜け空間１３は、外壁１６と間仕切壁１７と１階の床１５と天井２１とによって囲まれた空間で、間仕切壁１７に設けた出入口１７ａ，１７ｂによって、２階の室内空間１２や１階の室内空間１１と繋がっている。
【００２８】
加えて、この吹き抜け空間１３には、後述する排気ダクト３６に接続されたグリル３４が設けられている。
【００２９】
そして、本実施の形態のユニット建物Ｕは、図１に示すように、単層屋根２４と、天井２１と、単層屋根２４と天井２１とに挟まれた小屋裏空間２６と、換気装置２３と、を有する建物送風システム２を備えている。
【００３０】
この単層屋根２４は、金属によって長尺の折り板状に形成された複数の屋根材を並設したもので、それぞれの屋根材の端部どうしが重ね合わされ、雨水が浸入する隙間が生じないように形成されている。
【００３１】
なお、単層屋根２４を形成する金属としてステンレスを用いた場合には、ＳＵＳ４４５を用いることで、長期間の耐久性を有するように形成することができる。
【００３２】
さらに、単層屋根２４には、屋根面の略中央に散水装置としてのスプリンクラー２７が設けられており、屋根面に散水することができるように形成されている。
【００３３】
このスプリンクラー２７には、図示しない配水管が接続されており、配水管から水を供給することで、回転しながら屋根面に均等に散水することができる。
【００３４】
また、天井２１は、木材などによって板状に形成されるもので、２階の室内空間１２の上方を塞いでおり、中央近傍に換気装置２３を取り付けるための開口である換気口２１ａが設けられている。
【００３５】
加えて、この天井２１の小屋裏空間２６に向いた側には、断熱材２２が取り付けられている。
【００３６】
この断熱材２２は、グラスウールなどによって、２００ｍｍ程度の厚みを有するように形成され、単層屋根２４からの放射熱が２階の室内空間１２に伝達されないように形成される。
【００３７】
そして、小屋裏空間２６は、天井２１の上面に取り付けられた断熱材２２と、単層屋根２４と、によって挟まれて形成され、単層屋根２４の側面の庇部に設けた換気スリット２５，２５を通じて屋外空間４と繋がっているとともに、換気装置２３を介して、天井２１に設けた換気口２１ａを通じて２階の室内空間１２と繋がっている。
【００３８】
このように、この小屋裏空間２６は、天井２１に取り付けられた断熱材２２を介しているため、２階の室内空間１２とは直接的に接しておらず、換気装置２３によって空気が出入りする他は、２階の室内空間１２と直接的に熱をやり取りすることはない。
【００３９】
一方、この小屋裏空間２６は、単層屋根２４には直接的に接しているため、小屋裏空間２６の内部を流れる空気に放射や対流によって、直接的に熱のやり取りをすることができる。
【００４０】
そして、本実施の形態の建物送風システム２は、屋内空間としての２階の室内空間１２において、天井２１に設けられた換気口２１ａに換気装置２３が接続されている。
【００４１】
この換気装置２３は、内部にファンを備えるもので、送風方向を、室内空間１２から小屋裏空間２６に向かう方向と、小屋裏空間２６から室内空間１２に向かう方向と、に切り替えることができる。
【００４２】
加えて、換気装置２３の小屋裏空間２６の側には、送風のための配管などが設けられることがないため、室内空間１２の内部の空気を小屋裏空間２６に直接的に送風することができるとともに、小屋裏空間２６の内部の空気を室内空間１２に直接的に送風することができる。
【００４３】
そして、本実施の形態の建物送風システム２は、床下空間１０に、換気システム３を備えている。
【００４４】
この換気システム３は、床下換気扇３１と、給気ダクト３５と、排気ダクト３６と、外気取入ダクト３７と、内気排出ダクト３８と、を備えている。
【００４５】
この床下換気扇３１は、床下空間１０に配置されて、内部に、給気及び排気のための送風機を備えるとともに、屋内側から屋外側に至る排気のための経路と、屋外側から屋内側に至る給気のための経路と、が互いに略直交するように形成され、この交差部に熱交換器を設けて給気と排気の熱交換をする熱交換換気扇として形成される。
【００４６】
そして、この床下換気扇３１には、外気取入ダクト３７が連結されている他、外気を屋外空間４から取り入れるための外気取入ダクト３７と、取り入れた外気を室内空間１１，１２へ給気するための給気ダクト３５と、内気を吹き抜け空間１３から排気するため排気ダクト３６と、取り入れた内気を屋外空間４に排出するための内気排出ダクト３８と、が接続されている。
【００４７】
この外気取入ダクト３７は、樹脂などによって長尺の円筒状に形成されるもので、屋外空間４と床下換気扇３１とを接続しており、床下換気扇３１を介して給気ダクト３５に接続されている。
【００４８】
同様に、内気排出ダクト３８は、樹脂などによって長尺の円筒状に形成されるもので、屋外空間４と床下換気扇３１とを接続しており、床下換気扇３１を介して排気ダクト３６に接続されている。
【００４９】
また、給気ダクト３５は、樹脂などによって長尺の円筒状に形成されるもので、１階の室内空間１１に設けたグリル３３や、２階の室内空間１２に設けたグリル３２を通じて、床下換気扇３１によって外気を給気するための送風路として形成されている。
【００５０】
一方、排気ダクト３６は、樹脂などによって長尺の円筒状に形成されるもので、吹き抜け空間１３に設けたグリル３４を通じて、床下換気扇３１によって、内気を排出するための送風路として形成されている。
【００５１】
次に、本実施の形態の建物送風システム２の運転モードについて説明する。
【００５２】
以下では、図２を用いて、室内空間１２から小屋裏空間２６に排気する運転モードと、小屋裏空間２６から室内空間１２に給気する運転モードと、を説明し、図３を用いて、散水装置２７を稼動する運転モードと、単層屋根２４の上の積雪を融かす運転モードと、を説明する。
【００５３】
はじめに、図２（ａ）を用いて、日中において、室内空間１２の気温が外気温よりも高くなって不快な場合に、室内空間１２から小屋裏空間２６に向かって排気する運転モードについて説明する。
【００５４】
まず、床下換気扇３１を稼動することで、外気取入ダクト３７を通じて取り入れられた屋外空間４の空気は、床下換気扇３１を介して、給気ダクト３５に送風される。
【００５５】
次に、給気ダクト３５に送風された空気は、グリル３２を通じて２階の室内空間１２に送風される。
【００５６】
そして、日射などを受けて室内空間１２で外気温より温かくなった空気は、換気装置２３によって小屋裏空間２６に送風され、換気スリット２５，２５から、屋外空間４に排出される。
【００５７】
なお、この場合でも、小屋裏空間２６に排出された空気は、単層屋根２４による放射及び対流によって温められるが、暖められた空気は屋外空間４に排出されるだけであるから室内空間１２を温めることはない。
【００５８】
上記のようにして、室内空間１２の内部の空気を排出することで、室内空間１２の気温を外気温と同程度の温度まで下げることができる。
【００５９】
次に、図２（ｂ）を用いて、夜間において、室内空間１２の気温が高くなって不快な場合に、小屋裏空間２６から室内空間１２に向かって給気する運転モードについて説明する。
【００６０】
まず、夜間には、単層屋根２４は、日射を受けないため、日中に受けた熱を放射によって屋外空間４に向かって放射することで、外気温よりも低い温度まで冷却される。
【００６１】
なお、単層屋根２４は、小屋裏空間２６にも熱を放射するが、小屋裏空間２６には断熱材２２が取り付けられた天井２１などが存在するために放射の効率が悪く、放射としては屋外空間４に向かう方向が著しく卓越する。
【００６２】
そして、送風方向を、小屋裏空間２６から室内空間１２に向かう方向に設定して換気装置２３を稼動すると、屋外空間４の空気が換気スリット２５，２５を通じて小屋裏空間２６に取り入れられ、小屋裏空間２６を通過して室内空間１２に送風されることとなる。
【００６３】
このように、屋外空間４の空気は、小屋裏空間２６を通過するが、この小屋裏空間２６は外気温より低い温度まで冷却された単層屋根２４に接しているため、単層屋根２４に熱を奪われて冷却されることとなる。
【００６４】
さらに、室内空間１２に送風された冷たい空気は、室内空間１２を冷却した後に、出入口１７ａなどを通じて吹き抜け空間１３に送風され、吹き抜け空間１３に設けられたグリル３４を介して排気ダクト３６に取り入れられる。
【００６５】
最後に、排気ダクト３６に取り入れられた空気は、床下換気扇３１によって内気排出ダクト３８を通じて屋外空間４に排出される。
【００６６】
上記のようにして、小屋裏空間２６の空気を取り入れることで、室内空間１２の温度を外気温よりも低い温度まで下げることができる。
【００６７】
次に、図３（ａ）を用いて、日中において、室内空間１２の気温が高くなって不快な場合に、スプリンクラー２７を稼動して単層屋根２４を冷やしつつ、小屋裏空間２６から室内空間１２に給気する運転モードについて説明する。
【００６８】
まず、日中において日射を受けている単層屋根２４の表面に、散水装置としてのスプリンクラー２７によって散水する。
【００６９】
このように散水することで、散水された水Ｗが気化する際に単層屋根２４から気化熱を奪うため、単層屋根２４は冷却されることとなる。
【００７０】
そして、送風方向を、小屋裏空間２６から室内空間１２に向かう方向に設定して換気装置２３を稼動すると、屋外空間４の空気は、換気スリット２５，２５を通じて小屋裏空間２６に取り入れられ、冷却された単層屋根２４に接した小屋裏空間２６を通過することで、冷却されながら室内空間１２に送風されることとなる。
【００７１】
さらに、室内空間１２に送風された冷たい空気は、室内空間１２を冷却した後に、窓１８を通じて屋外空間４に排出される。
【００７２】
なお、この場合でも、上記した図２（ｂ）に示した場合と同様に、換気システム３によって内気を排出してもよい。
【００７３】
次に、図３（ｂ）を用いて、寒冷な地域などにおいて、単層屋根２４の上に雪が積もった場合に、この積雪を融かすために、室内空間１２から小屋裏空間２６に排気する運転モードについて説明する。
【００７４】
まず、図２（ａ）に示した場合と同様に、換気システム３によって屋外空間４の空気を１階の室内空間１１や２階の室内空間１２に取り込む。
【００７５】
そして、１階の室内空間１１や２階の室内空間１２において、図示しない暖房器具などによって暖められた空気は、天井２１に取り付けられた換気装置２３によって小屋裏空間２６に送風され、換気スリット２５，２５から、屋外空間４に排出される。
【００７６】
この際、温められた空気は小屋裏空間２６を通過するが、小屋裏空間２６は単層屋根２４に面しているため、この単層屋根２４に熱を奪われることとなる。
【００７７】
逆に、単層屋根２４は、小屋裏空間２６を通過する空気から熱を得ることで温められ、この単層屋根２４上に積もった雪を融かすことができる。
【００７８】
次に、本実施の形態の建物送風システム２の作用について説明する。
【００７９】
このように、本実施の形態の建物送風システム２は、金属製の単層屋根２４と最上階の天井２１との間に、単層屋根２４に面して小屋裏空間２６が形成されるとともに、室内空間１２から小屋裏空間２６に向けて、又は、天井２１に設けた換気装置２３は小屋裏空間２６から室内空間１２に向けて、送風することができる。
【００８０】
したがって、日中においては、室内空間１２から小屋裏空間２６へ送風することで、グリル３２や窓１８などから外気を取り入れることができるため、外気温より温かくなった室内空間１２の気温を外気温と同程度まで下げることができる。
【００８１】
この場合、換気装置２３の小屋裏空間２６側には配管が設けられずに、直接に広い小屋裏空間２６に送風することで、換気量が配管によって制限されることがないため、室内空間１２の空気を効率よく排気することができる。
【００８２】
また、このように、室内空間１２の空気が小屋裏空間２６を通じて屋外空間４に排出されるため、寒冷な地域においては、単層屋根２４に積もった雪を融かすことができる。
【００８３】
つまり、暖房などによって温められた室内空間１２の空気を排出する際に、窓１８を空けて排気するのではなく、小屋裏空間２６を通じて排気することで、単層屋根２４に熱を与えることができるため、この単層屋根２４上の積雪を融かすことができる。
【００８４】
一方、夏季の夜間などにおいては、放射冷却で外気温より冷たくなった単層屋根２４に面した小屋裏空間２６を通じて、外気を冷却しながら室内空間１２に取り込むことができるため、室内空間１２の気温を外気温よりも低くすることができる。
【００８５】
すなわち、通常のように窓１８を空けて外気を取り入れる場合と異なり、取り入れる外気を放射冷却によって冷たくなった単層屋根２４に接触させることで、外気を冷却した後に室内空間１２に取り入れることができる。
【００８６】
このように、金属製の単層屋根２４と天井２１に設けた換気装置２３という、極めて単純な構成によって、屋外空間４の気温より低い温度に室内空間１２を冷却することができる。
【００８７】
また、この場合において、小屋裏空間２６は、単層屋根２４と断熱材２２との間の扁平な空間として形成されることで、通過する空気と単層屋根２４とが接触する割合が大きくなるため、空気を効率よく冷却できる。
【００８８】
つまり、仮に、小屋裏空間２６が背の高い空間であったとすれば、取り入れた外気の大部分は単層屋根２４に接触することなく室内空間１２に取り入れられることとなるが、小屋裏空間２６が背の低い扁平な空間であれば、取り入れた外気の大部分が単層屋根２４に接触しつつ室内空間１２に取り入れられることとなるため、冷却の効率が高い。
【００８９】
さらに、単層屋根２４が金属によって形成されていることで、熱伝導率が大きくなって厚み方向の温度が略均一になるため、単層屋根２４の表面と裏面との間の熱交換を効率よく行うことができる。
【００９０】
加えて、単層屋根２４は折板状に形成されるものであるから、小屋裏空間２６に向いた面の表面積が広くなることで、小屋裏空間２６を通過する空気との接触面積も広くなるため、小屋裏空間２６を通過する空気を効率よく冷却できる。
【００９１】
さらに、天井２１の小屋裏空間２６に向いた面にグラスウールなどの断熱材２２を設けることで、日中の日差しによって熱くなった単層屋根２４から放射された熱によって、室内空間１２が暖められることを防止できる。
【００９２】
つまり、単層屋根２４は、日中の日差しによって暖められることで、屋外空間４だけでなく小屋裏空間２６にも熱を放射しているが、この熱を天井２１に取り付けた断熱材２２によって遮断することができるため、室内空間１２を温めることはない。
【００９３】
逆に、冬季においては、断熱材２２があることで、放射冷却によって冷たくなった単層屋根２４に熱を奪われることがないため、室内空間１２の温度を保つことができる。
【００９４】
そして、単層屋根２４に散水するための散水装置としてのスプリンクラー２７を備えることで、日中でも単層屋根２４を冷却することができるため、日中でも小屋裏空間２６を通じて外気を冷やしながら取り込むことで、室内空間１２を冷却することができる。
【００９５】
すなわち、スプリンクラー２７によって散水することで、単層屋根２４の表面に散布された水が気化する際に、単層屋根２４から気化熱を奪いつつ気化することで、単層屋根２４を冷却することができるため、この冷却された単層屋根２４によって、小屋裏空間２６を通過する外気を冷却することができる。
【００９６】
また、上記した建物送風システム２に加えて、給気ダクト３５と排気ダクト３６とを有する換気システム３を備えることで、窓１８を閉めたまま室内空間１２を冷却することができる。
【００９７】
すなわち、換気システム３を用いることで、床下換気扇３１に接続された給気ダクト３５を通じて室内空間１２に外気を供給できるとともに、床下換気扇３１に接続された排気ダクト３６を通じて室内空間１２から内気を排出することができる。
【００９８】
したがって、窓１８を閉めたまま室内空間１２を冷却できるため、雨が降った際にも窓１８を閉める必要がないとともに、夜間においても不審者による住居侵入を防止することができる。
【００９９】
ここにおいて、換気システム３は、主に、ユニット建物Ｕの広い床下空間１０に設けられるものであるため、各装置を大型化できるとともに、建物敷地を有効に活用することができる。
【０１００】
上記したように、本実施の形態の建物送風システム２を備えることによって、金属製の単層屋根２４及び換気装置２３という極めて単純な構成によって、屋外空間４の気温以下に室内空間１２を冷却できるユニット建物Ｕを提供することができる。
【実施例】
【０１０１】
以下、図４を用いて、前記実施の形態とは別の形態の建物送風システム２Ａを備えるユニット建物Ｕについて説明する。
【０１０２】
なお、前記実施の形態で説明した内容と同一乃至均等な部分の説明については同一符号を付して説明する。
【０１０３】
前記実施の形態では、屋内空間としての１つの室内空間１２に１つの換気装置２３を有する建物送風システム２を備えるユニット建物Ｕについて説明したが、この実施例では、屋内空間としての１つの室内空間１２に２つの換気装置２３Ａ，２３Ｂを有する建物送風システム２Ａを備えるユニット建物Ｕについて説明する。
【０１０４】
本実施例の建物送風システム２Ａは、図４に示すように、２階の室内空間１２の天井２１に、換気装置２３Ａと、換気装置２３Ｂと、が取り付けられている。
【０１０５】
この換気装置２３Ａ，２３Ｂは、内部にファンを備えるもので、送風方向を、室内空間１２から小屋裏空間２６に向かう方向と、小屋裏空間２６から室内空間１２に向かう方向と、に切り替えることができる。
【０１０６】
加えて、これらの２つの換気装置２３Ａ，２３Ｂは、送風方向を互いに異なる方向に設定することもできる。
【０１０７】
さらに、換気装置２３Ａ，２３Ｂの小屋裏空間２６の側には、送風のための配管などが設けられることがないため、室内空間１２の内部の空気を小屋裏空間２６に直接的に送風することができるとともに、小屋裏空間２６の内部の空気を室内空間１２に直接的に送風することができる。
【０１０８】
また、これらの２つの換気装置２３Ａ，２３Ｂは、１つ室内空間１２の天井２１に、所定の距離をおいて設けられている換気口２１ａ，２１ｂに取り付けられている。
【０１０９】
なお、本実施例のユニット建物Ｕには、前記実施の形態と異なり、床下空間１０に換気システム３が設けられていない。
【０１１０】
次に、本実施例の建物送風システム２Ａの運転モードについて説明する。
【０１１１】
ここでは、図４に示すように、夜間において、室内空間１２の気温が外気温よりも高くなって不快な場合に、室内空間１２と小屋裏空間２６との間で空気を循環する運転モードについて説明する。
【０１１２】
この運転モードでは、一方の換気装置２３Ａは室内空間１２から小屋裏空間２６に向けて送風するとともに、他方の換気装置２３Ｂは小屋裏空間２６から室内空間１２に向けて送風する。
【０１１３】
そして、換気装置２３Ａによって小屋裏空間２６に取り込まれた空気は、小屋裏空間２６の内部の冷たい空気と混合されて、又は、単層屋根２４に接することで冷却されて、冷たくなった状態で換気装置２３Ｂから室内空間１２に取り込まれる。
【０１１４】
このように、室内空間１２と小屋裏空間２６との間で、空気を循環させることで、室内空間１２を冷却する。
【０１１５】
次に、本実施例の建物送風システム２Ａの作用について説明する。
【０１１６】
本実施例の建物送風システム２Ａでは、室内空間１２に２つの換気装置２３Ａ，２３Ｂを備えることで、室内空間１２と小屋裏空間２６とで空気を循環させることが可能となるため、窓１８を閉めたまま室内空間１２を冷却することができる。
【０１１７】
そうすると、雨が降った際にも窓１８を閉める必要がない上、夜間においても不審者による住居侵入を防止することができる。
【０１１８】
ここにおいて、２つの換気装置２３Ａ，２３Ｂは、２階の室内空間１２の天井２１に所定の間隔をおいて設けられた換気口２１ａ，２１ｂに取り付けられていることで、循環する空気が小屋裏空間２６の内部を通過する際の距離を長くとることができるため、循環する空気を効率よく冷却することができる。
【０１１９】
そして、循環する空気の一部は、屋外空間４と繋がっている小屋裏空間２６の内部の空気と混合されるため、室内空間１２に外気を取り入れることもできる。
【０１２０】
さらに、本実施例で説明した運転モードとは異なるが、２つある換気装置２３Ａ，２３Ｂの送風方向をそろえることで、換気量を増大することができるため、日中において室内空間１２から小屋裏空間２６に向けて排気する場合や、夜間において小屋裏空間２６から室内空間１２に向けて給気する場合に、効率よく排気や給気ができる。
【０１２１】
なお、この他の構成および作用効果については、前記実施の形態と略同様であるため説明を省略する。
【０１２２】
以上、図面を参照して、本発明の最良の実施の形態及び実施例を詳述してきたが、具体的な構成は、この実施の形態又は実施例に限らず、本発明の要旨を逸脱しない程度の設計的変更は、本発明に含まれる。
【０１２３】
例えば、本実施の形態では、単層屋根２４に散水装置としてスプリンクラー２７を設ける場合について説明したが、これに限定されるものではなく、日射を受ける日中に小屋裏空間２６から給気する必要がない場合などには、スプリンクラー２７は設けなくてもよい。
【０１２４】
また、本実施の形態及び実施例では、天井２１の上面に断熱材２２が取り付けられる場合について説明したが、これに限定されるものではなく、単層屋根２４からの熱を遮ることができるものであれば、どのような断熱方法を用いてもよい。
【０１２５】
さらに、本実施の形態では、ユニット建物Ｕが、換気システム３を備える場合について説明したが、これに限定されるものではなく、窓１８や基礎などに設けた換気口から外気を取り入れる場合には、換気システム３を備えなくてもよい。
【０１２６】
そして、本実施例では、換気装置２３Ａ，２３Ｂから小屋裏空間２６に直接空気を送風する場合について説明したが、これに限定されるものではなく、一方の換気装置２３Ａに配管が接続されることで、小屋裏空間２６において他方の換気装置２３Ｂとの間に距離をとるものであってもよい。
【０１２７】
また、本実施例では、屋内空間としての２階の室内空間１２に、２つの換気装置２３Ａ，２３Ｂを備える場合について説明したが、これに限定されるものではなく、３つ以上の換気装置を備えるものであってもよいし、室内空間１２と吹き抜け空間１３に１つずつの換気装置を備えるものであってもよい。
【図面の簡単な説明】
【０１２８】
【図１】本発明の最良の実施の形態の建物送風システムを備えるユニット建物の構成を説明する説明図である。
【図２】本発明の最良の実施の形態の建物送風システムの運転モードを説明する説明図である。（ａ）は小屋裏空間に排気する運転モードであり、（ｂ）は小屋裏空間から給気する運転モードである。
【図３】本発明の最良の実施の形態の建物送風システムの運転モードを説明する説明図である。（ａ）は散水装置を稼動する運転モードであり、（ｂ）は屋根上の積雪を融かす運転モードである。
【図４】本発明の実施例の建物送風システムを備えるユニット建物の構成と運転モードを説明する説明図である。
【符号の説明】
【０１２９】
Ｕ            ユニット建物（建物）
Ｗ            散水された水
１２          ２階の室内空間（屋内空間）
２，２Ａ      建物送風システム
２１          天井
２２          断熱材
２３，２３Ａ，２３Ｂ  換気装置
２４          単層屋根
２６          小屋裏空間
２７          スプリンクラー（散水装置）
３            換気システム
３１          床下換気扇
３５          給気ダクト
３６          排気ダクト
４            屋外空間
【図１】
2008281284.tif 000003
【図２】
2008281284.tif 000004
【図３】
2008281284.tif 000005
【図４】
2008281284.tif 000006